(57)【要約】【課題】直接ビス止めすることなく固着できるようにして、ぐらつくことなくしっかりと固定され遊技に何ら支障を生じない遊技機用のハンドルの取付構造を提供する。【解決手段】後面に筒状基部２２が突設されたハンドル１６と、遊技機Ｐの前面側に設けられその前側から筒状基部２２を嵌入する取付孔３１が貫設されたハンドル取付部１８とを備え、該ハンドル取付部１８内には取付孔３１の中心軸線に対し直交する方向に摺動して該取付孔３１内に出没し得る締付部材３４を設け、筒状基部２２を取付孔３１に嵌入した状態で締付部材３４を適宜固定手段３９，５４によって筒状基部２２の外周面に圧接することにより、ハンドル１６が固着されるようにした。【選択図】図５
2006247176.tif 000002
【特許請求の範囲】
【請求項１】
後面に筒状基部が突設されたハンドルと、遊技機の前面側に設けられその前側から前記筒状基部を嵌入する取付孔が貫設されたハンドル取付部とを備え、前記ハンドル取付部内には前記取付孔の中心軸線に対し直交する方向に摺動して該取付孔内に出没し得る締付部材を設け、前記筒状基部を前記取付孔に嵌入した状態で前記締付部材を適宜固定手段によって前記筒状基部の外周面に圧接することにより、前記ハンドルが固着されるようにしたことを特徴とする遊技機用のハンドルの取付構造。
【請求項２】
後面に筒状基部が突設されたハンドルと、遊技機の前面側に設けられその前側から前記筒状基部を嵌入する取付孔が貫設されたハンドル取付部とを備え、前記筒状基部に抜け止め部を設け、前記ハンドル取付部内には前記取付孔の中心軸線に対し直交する方向に摺動して該取付孔内に出没し得る締付部材を設け、前記筒状基部を前記取付孔に嵌入した状態で前記締付部材を適宜固定手段によって前記筒状基部の外周面に圧接すると共に前記抜け止め部の前面に係合することにより、前記ハンドルが固着されるようにしたことを特徴とする遊技機用のハンドルの取付構造。
【請求項３】
前記締付部材は、付勢手段により前記取付孔の中心軸線に対し直交する方向であって該取付孔から没入する側へ付勢されている請求項１又は２記載の遊技機用のハンドルの取付構造。
【請求項４】
前記筒状基部と前記取付孔とは共に円筒状に成形され、前記筒状基部の外周面にその中心軸線と平行な複数のガイド溝が凹設され、前記取付孔の内周面にはその中心軸線と平行をなしかつ前記ガイド溝に嵌合し得る位置決め凸条が突設されている請求項１乃至３のうちいずれか一に記載の遊技機用のハンドルの取付構造。
【発明の詳細な説明】
【技術分野】
【０００１】
本発明は、遊技機の前面に装着され打球発射部に供給されるパチンコ球の打球力を調整するための遊技機用のハンドルの取付構造に関するものである。
【背景技術】
【０００２】
従来、代表的な遊技機であるパチンコ遊技機には、その前面下部に打球発射部に供給される打球の打球力を調整するための遊技機用のハンドルが装着されている。この遊技機用のハンドルは、ほぼ半球形となるように三つの部材からなる。すなわち、パチンコ遊技機側の遊技盤保持枠に取着する握持部と、該握持部の前面側に取着される操作レバーと、該操作レバーの前面側に取着されるキャップ部とからなり、前記握持部の後側に後方へ突出する筒状基部が設けられ、該筒状基部内に後側に雌螺子部を有すると共に操作レバーの回動支軸となる金属製の支持部材がインサート成型されている。そして、遊技機用のハンドルをパチンコ遊技機の下部前面に当てがい、遊技盤保持枠の後側から固定ビスを挿入して前記雌螺子部に螺締することにより、遊技機用のハンドルを装着するようにしている（例えば、特許文献１参照。）。
【特許文献１】特許第２９９５４２９号公報（第２頁段落０００８及び第４頁段落００１７、図４）
【発明の開示】
【発明が解決しようとする課題】
【０００３】
しかしながら、前記特許文献１の遊技機用のハンドルの取付構造にあっては、遊技盤取付枠の後側から固定ビスを挿入して回動支軸の雌螺子孔に螺締することによって、遊技機用のハンドルを遊技盤取付枠に直接ビス止めして固定するようにしている。このため、例えば遊技機用のハンドルのメンテナンスをすべく該遊技盤用ハンドルの取り外し及び取り付けを何度も繰返していると雌螺子部の螺子孔が広がってガタが生じたり、また、いたずらで遊技機用のハンドルが無理に捩じられると固定ビスが湾曲するなどして遊技機用のハンドルにぐらつきが生ずるという看過し得ない課題があった。
【０００４】
そこで、本発明は上記課題を解決すべくなされたもので、直接ビス止めすることなく固着できるようにして、メンテナンスにより着脱動作が繰返されても、また、いたずらによる捩じり作用が働いても、常に、ぐらつくことなくしっかりと固定され、遊技に何ら支障を生じない遊技機用のハンドルの取付構造を提供することを目的とするものである。
【課題を解決するための手段】
【０００５】
かかる目的を達成するため本発明に係る遊技機用のハンドルの取付構造は、後面に筒状基部が突設されたハンドルと、遊技機の前面側に設けられその前側から前記筒状基部を嵌入する取付孔が貫設されたハンドル取付部とを備え、前記ハンドル取付部内には前記取付孔の中心軸線に対し直交する方向に摺動して該取付孔内に出没し得る締付部材を設け、前記筒状基部を前記取付孔に嵌入した状態で前記締付部材を適宜固定手段によって前記筒状基部の外周面に圧接することにより、前記ハンドルが固着されるようにした構成からなる。
【０００６】
または、本発明に係る遊技機用のハンドルの取付構造は、後面に筒状基部が突設されたハンドルと、遊技機の前面側に設けられその前側から前記筒状基部を嵌入する取付孔が貫設されたハンドル取付部とを備え、前記筒状基部に抜け止め部を設け、前記ハンドル取付部内には前記取付孔の中心軸線に対し直交する方向に摺動して該取付孔内に出没し得る締付部材を設け、前記筒状基部を前記取付孔に嵌入した状態で前記締付部材を適宜固定手段によって前記筒状基部の外周面に圧接すると共に前記抜け止め部の前面に係合することにより、前記ハンドルが固着されるようにした構成からなる。
【０００７】
前記締付部材は、付勢手段により前記取付孔の中心軸線に対し直交する方向であって該取付孔から没入する側へ付勢されることが好ましい。
【０００８】
前記筒状基部と前記取付孔とは共に円筒状に成形され、前記筒状基部の外周面にその中心軸線と平行な複数のガイド溝が凹設され、前記取付孔の内周面にはその中心軸線と平行をなしかつ前記ガイド溝に嵌合し得る位置決め凸条が突設されていることが好ましい。
【発明の効果】
【０００９】
請求項１記載の遊技機用のハンドルの取付構造は、ハンドル取付部の取付孔に筒状基部を嵌入した状態で、締付部材を筒状基部の外周面に圧接することにより遊技機用のハンドルを固着するようにしており、遊技機用のハンドルに直接ビスを螺締めして該遊技機用のハンドルを固着する構造ではないことから、例えばメンテナンスをすべく取り外し及び取り付けを何度も繰返しても、遊技機用ハンドルにぐらつきが生ずることはなくしっかりと固定されて強固な構造が維持でき、引いては遊技も安定して行なえるという効果が有る。
【００１０】
また、請求項２記載の遊技機用のハンドルの取付構造も前記と同じ効果を有すると共に筒状基部に抜け止め部を設け、該筒状基部を取付孔に嵌入した状態で締付部材を抜け止め部の前面に係合するようにしたので、遊技機用のハンドルの抜け止めが図られ、いたずらで遊技機用のハンドルが取り外されるのを防止できる。
【００１１】
締付部材が付勢手段により取付孔の中心軸線に対し直交する方向であって該取付孔から没入する側へ付勢されていると、適宜固定手段を解くと共に締付部材が筒状基部の外周面から漸次自動的に離れるので、遊技機用のハンドルが取り外し易い。
【００１２】
また、筒状基部と取付孔とが共に円筒状に成形され、筒状基部の外周面にその中心軸線と平行な複数のガイド溝を凹設し、取付孔の内周面にはその中心軸線と平行をなしかつ前記ガイド溝に嵌合し得る位置決め凸条を突設するようにすれば、取付孔に筒状基部が嵌入したとき、前記ガイド溝と位置決め凸条とが互いに嵌合して中心軸線に対し直交する面での筒状基部の回動を阻止することになり、いたずらにより遊技機用のハンドルを無用に捩じり破壊されることを防止できる。
【発明を実施するための最良の形態】
【００１３】
以下、本発明に係る遊技機用のハンドルの取付構造の実施の形態を図面に基き説明する。本発明は、パチンコ遊技機、アレンジボール機、雀球機、等の遊技機に適用されるが、本発明ではこの内、パチンコ遊技機について説明する。図１は本発明が適用されるパチンコ遊技機の斜視図である。
【００１４】
パチンコ遊技機Ｐは、縦長方形枠状に成形される外枠１と、該外枠１の前面に配置され一側の上下位置に設けられた蝶番２ａ，２ｂによって開閉自在に取着される遊技盤取付枠３と、該遊技盤取付枠３の前面に配置され同じく前記上・下の蝶番２ａ，２ｂによって同軸上に軸着される前面枠４とを備えている。遊技盤取付枠３に遊技盤５が配設される。該遊技盤５の前面にはガイドレール６により囲まれる遊技部５ａが成形され、該遊技部５ａに例えば可変表示装置７、始動入賞口８、入賞装置９といった盤面部品が装着されている。
【００１５】
また、前記前面枠４は、合成樹脂材からなり遊技盤取付枠３の前面全体を覆う大きさを有し、その前面を斬新なデザインのカバー部１０により被覆している。前面枠４のほぼ中央に遊技盤５の遊技部５ａが臨む窓開口１１が開設され、該窓開口１１に二枚の透明板１２，１２が前後に位置して装着される。前面枠４の前面一側には、打球発射部（図示せず。）へ供給するパチンコ球を貯留するための球皿１３が設けられ、その上方に球皿１３と連通しパチンコ遊技機Ｐ，Ｐ間に介在される所謂台間サンド（図示せず。）からの貸し球を受け入れるための副球皿１４が設けられている。
【００１６】
更に、前記前面枠４の前面他側はカバー部１０が前方へ膨出しており、該膨出部１５に打球発射部へ供給されるパチンコ球の打球力を調節する遊技機用のハンドル１６が装着されている。図５に示すように、膨出部１５の内側にはカバー１０に開設された通孔１７を介してハンドル１６を装着するためのハンドル取付部１８が配設されている。
【００１７】
次に、ハンドルの取付構造について説明する。図２はハンドルを組み込んだハンドル取付部の斜視図、図３は同分解斜視図である。ハンドル１６は、合成樹脂材により成形され、握持部１９と、その前側の半球殻状のキャップ部２０と、握持部１９及びキャップ部２０との間に介装され鉛直面内で回動する操作レバー２１とからなる。
【００１８】
握持部１９は、前面が開放した皿状に成形され、その後面に後方へ突出する円筒状の筒状基部２２が設けられ、図示は省略するが、その内部に前記操作レバー２１を回動することにより打球の打球力を調整することができる可変抵抗器やタッチセンサーが配設される。筒状基部２２の後端面は開放しており、外周面の後端部両側にそれぞれ後端が開放される切欠部２３，２３が設けられる。各切欠部２３，２３は後記する締付部材３４を嵌り込ませるためのものであり、前後方向の幅寸法が該締付部材３４の同方向の幅とほぼ同じになっている。また、筒状基部２２の後端面には、ネジ２４により抜け止め部としての抜止制止板２５が固着される。この抜止制止板２５は金属製であって筒状基部２２の外径とほぼ同じ外径寸法を有し、環状に成形される。
【００１９】
また、筒状基部２２の外周面に、その前後方向の全体に亘り該筒状基部２２の中心軸線と平行な複数のガイド溝２６が凹設される。これらガイド溝２６の前端位置にはネジ挿通孔（図示せず。）が開設され、図４に示すように該ネジ挿通孔を介してキャップ部２０側のネジ孔（図示せず。）にネジ２４を螺締してキャップ２０が固着されるようになっている。このように、前記ガイド溝２６は、取付時のガイド機能と、ビス止めの際の工具であるドライバーのガイド機能とを兼用している。キャップ部２０の前面には円孔２７が開設され、該円孔２７に装飾体２８が嵌着される。
【００２０】
次に、ハンドル取付部１８について説明する。ハンドル取付部１８は合成樹脂材により成形され、ハンドル取付カバー部２９と該ハンドル取付カバー部２９がその前面に重ね合わされて取り付けられるハンドル取付本体部３０とからなる。ハンドル取付カバー部２９は、正面略半円形をなし、前面壁２９ａの外周縁に後方へ屈曲する側面壁２９ｂが一体に周設されて後面は開放されている。また、下部に前記筒状基部２２を嵌入する円筒状の取付孔３１が貫設される。この取付孔３１の内周面には、その中心軸線と平行をなしかつ前記各ガイド溝２６に嵌合し得る位置決め凸条３２が突設されている。また、図５に示すように取付孔３１の内周面は上面側３１ａから下面側３１ｂにかけて前記筒状基部２２との接触面が増加するように形成され、取付孔３１の下面側３１ｂは前記握持部１９近傍まで延設されている。これにより、従来のハンドルよりも上方からの負荷に対して保持力が高くなっている。
【００２１】
一方、ハンドル取付カバー部２９の裏側には、図７に示すように取付孔３１のほぼ上半部を覆うようにして該取付孔３１と連通する収納凹部３３が形成される。この収納凹部３３に、筒状基部２２に圧接して該筒状基部２２を取付孔３１内に固着するための締付部材３４が配置される。ハンドル取付カバー部２９の外周縁には、適宜位置にネジ挿通孔３５を設けた取付片３６が複数突設される。
【００２２】
締付部材３４は合成樹脂材により前記取付孔３１を跨ぐような半円形状に成形され、両側脚部３７，３７に下端で開放するボルト挿通孔３８，３８が開設され、各ボルト挿通孔３８の上端にナット３９が埋設される。ハンドル取付カバー部２９の上端部と締付部材３４の上端部には、それぞれフック部４０，４１が設けられ、これら両フック部４０，４１に上下両端部を係止することにより付勢手段としての引張りコイルバネ４２が架設される。収納凹部３３に締付部材３４を収容した状態では、締付部材３４が常に取付孔から離れる方向へ付勢されるが、前記取付孔３１の中心軸線に対し直交する方向に沿って摺動して該取付孔３１内に出没し得ることになる。また、このとき各脚片３７のボルト挿通孔３８は、収納凹部３３の底面であって取付孔３１の両側に設けられ、後記するボルト５４を挿入する凹部４３と対向位置する。更に、締付部材３４の裏面両側にボルト５４の挿入方向へ伸びかつ互いに平行をなす案内部としての案内片４４が設けられる。
【００２３】
ハンドル取付本体部３０は合成樹脂材により正面略方形状に成形されており、前面壁３０ａの外周縁に後方へ突出する側面壁３０ｂが一体に屈曲して成形され、後面が開放している。そして、前面壁２８ａの所定の位置に前記取付孔３１と同じ内径を有しかつ連続して連なる連通孔４５が開設される。連通孔４５の内周面には、前端面がハンドル取付本体部３０の前面と面一となりかつ連通孔４５の中心軸線と平行をなす受止筒部４６が複数本一体に突設されている。前面壁３０ａの前面には、連通孔４５の両側に位置して、前記締付部材３４の各案内片４４が嵌り込んで摺動する被案内部としての案内細溝４７，４７が平行に設けられている。各案内細溝４７の下端部には前方へ突出する突起４８が設けられている。各突起４８は、ハンドル取付カバー部２９に設けられた各凹部４３の開放端側に嵌り、挿通されるボルト５４のフラツキを防ぐようにしている。また、前記前面壁３０ａの前面に、前記ハンドル取付カバー部２９側の各ネジ挿通孔３５と対応位置させてネジ孔４９を有するボス部５０が突設される。
【００２４】
次に、図５及び図６に基きハンドル１６とハンドル取付部１８の組立手順を説明する。まず、各フック部４０，４１に引張りコイルバネ４２の上下両端部を係止した状態で締付部材３４を収納凹部３３内に収納させる。そして、その収納凹部３３を裏側にしてハンドル取付カバー部２９をハンドル取付本体部３０の前面に配置し、各ネジ挿通孔３５を介して各ネジ孔４９にネジ５１を螺締することにより、ハンドル取付カバー部２９をハンドル取付本体部３０の前面に重合固定する。これによりハンドル取付部１８が組立てられる。
【００２５】
このハンドル取付部１８は、前面枠４の前側であってカバー部１０裏側の所定の位置に配置して固定され該カバー部１０によって覆われる。この際、前記したようにカバー部１０の前面に前記取付孔３１が合致して臨む通孔１７が開設されており、また、カバー部１０の底壁１０ａには前記各凹部４３に対応位置して挿通孔５３が開設される。該挿通孔５３からドライバーが差し込まれる。
【００２６】
そこで、前記通孔１７を介して前側から取付孔３１内に、各ガイド溝２６を各位置決め凸条３２に合致させるようにして筒状基部２２を嵌入する。この際、筒状基部２２の後端面が各受止筒部４６の前面に当接することで該筒状基部２２が停止する。また、締付部材３４の両脚部３７，３７は、その下端部が筒状基部２２の後端部両側の切欠部２３，２３に少し臨んでいる。また、カバー部１０底面の各挿通孔５３と各凹部４３は合致している。
【００２７】
この状態で、各挿通孔５３を介してボルト５４を挿通し、更に、ドライバーを用い各ボルト挿通孔３８を介してナット３９に螺合する。そして、各ボルト５４の頭部５４ａが凹部４３の下面に達しその上動が規制されてからは、引張りコイルバネ４２の付勢に抗して締付部材３４が徐々に引き下げられ、最終的に締付部材３４の内周面が筒状基部２２の上面に圧接される。このようにして、筒状基部２２が取付孔３１の内周面と筒状基部２２とにより挟着されてハンドル１６がしっかりと固着される。なお、図示は省略するが、筒状基部２２内に配置される配線基板から引き出される配線が該筒状基部２２の後端開口から導出され、所定のコネクターに接続される。また、締付部材３４の内周面が筒状基部２２の上面に圧接されている場合に、ボルト５４先端が臨むような視認窓をハンドル取付カバー部２９又はハンドル取付本体部３０に設けておくことが望ましい。このような構成を採ることにより、ハンドル１６が確実に圧接され固定されていることを確認できる。
【００２８】
ハンドル１６内の例えば配線基板が損傷して交換するときは、前記各挿通孔５３からドライバーを差し込み、各ボルト５４を緩める。これに伴い、引張りコイルバネ４２の付勢により締付部材３４が自動的に筒状基部２２から離れる方向へ摺動し、筒状基部２２の外周面からの圧接を解く。これにより、ハンドル１６を前側へ抜くことができ、前記交換作業が行なえる。締付部材３４の摺動動作に際しては、各案内片４４がハンドル取付本体部３０の各案内細溝４７に嵌って案内されるので、その摺動動作は円滑かつ正確に行なわれる。
【００２９】
このように、本発明のハンドルの取付構造は、取付孔３１に筒状基部２２を嵌入した状態で、締付部材３４を筒状基部２２の外周面に圧接することによりハンドル１６を固着するようにしており、ハンドル１６に直接ビスを螺締めして該ハンドル１６を固着する構造ではないことから、例えばメンテナンスをすべく取り外し及び取り付けを何度繰返しても、遊技盤用のハンドルにぐらつきが生ずることはなくしっかりと固定されて強固な構造が維持できる。
【００３０】
また、筒状基部２２の後端面に抜止制止板２５が設けられており、ハンドル１６を取り付けた状態では、締付部材３４の各脚部３７が切欠部２３内に入り抜止制止板２５の前面に係合する。よって、この状態ではハンドル１６を抜こうとしても、抜止制止板２５が両脚部３７，３７に支えてぬくことができないこととなり、いたずらでハンドル１６が取り外されるのを防止できる。
【００３１】
更に、取付孔３１に筒状基部２２が嵌入したとき、各ガイド溝２６と各位置決め凸条３２とが互いに嵌合して中心軸線に対し直交する面内での筒状基部２２の回動を阻止しているので、いたずらによりハンドル１６を無用に捩じり破壊されることを防止できる。
【００３２】
本発明にあっては、タッチセンサーや可変抵抗器を筒状基部２２内に配置してなるが、これは筒状基部２２内に配置する余裕があるためである。これにより、例えば遊技の興趣を高めるためにハンドル特にキャップ内に回転するフリクションを配置し、遊技の興趣が盛り上がる場面で前記フリクションを回転してハンドルを振動させるようにする場合には、設置上何ら支障がなく有利である。また、前記実施の形態では筒状基部２２を円筒状として説明したが、該筒状基部２２は円筒状に限られるものではなく、内部が空洞状であれば例えば４角形、５角形、６角形といった多角形状の角筒などどのような形状も含まれるものである。
【図面の簡単な説明】
【００３３】
【図１】本発明が適用されるパチンコ遊技機の斜視図。
【図２】ハンドルを組み込んだハンドル取付部の斜視図。
【図３】同分解斜視図。
【図４】ハンドルの裏面図。
【図５】パチンコ遊技機の前側に取着したハンドル取付部部位の側面断面図。
【図６】図５のＸ−Ｘ線断面図。
【図７】締付部材とハンドル取付カバー部の裏面斜視図。
【符号の説明】
【００３４】
１６        遊技機用のハンドル
１８        ハンドル取付部
２２        筒状基部
２５        抜け止め部（抜止制止板）
２６        ガイド溝
３１        取付孔
３２        位置決め凸部
３４        締付部材
３９        固定手段（ナット）
４２        付勢手段（引張りコイルバネ）
５４        固定手段（ボルト）
Ｐ          遊技機（パチンコ遊技機）
【図１】
2006247176.tif 000003
【図２】
2006247176.tif 000004
【図３】
2006247176.tif 000005
【図４】
2006247176.tif 000006
【図５】
2006247176.tif 000007
【図６】
2006247176.tif 000008
【図７】
2006247176.tif 000009